(57)【要約】【課題】昇降路内の温度が低下して制御ケーブルの被覆が硬化して下垂ループ半径が大きくなり、制御ケーブルと昇降路壁とが干渉して制御ケーブルに損傷が発生してしまうことを未然に防止することができるエレベータ制御ケーブル装置を得る。【解決手段】エレベータ制御ケーブル装置において、エレベータの昇降路壁と乗りかごとに連結されて昇降路内に懸垂され、その下垂部が略Ｕ字状を呈している制御ケーブルと、前記制御ケーブルの前記昇降路壁に沿って懸垂する部分と前記昇降路壁との間に、前記制御ケーブルの前記部分に沿って設けられ、放射熱を前記制御ケーブルへと照射するランプを有するランプ装置と、を備える。【選択図】図１
2010095350.tif 000002
【特許請求の範囲】
【請求項１】
エレベータの昇降路壁と乗りかごとに連結されて昇降路内に懸垂され、その下垂部が略Ｕ字状を呈している制御ケーブルと、
前記制御ケーブルの前記昇降路壁に沿って懸垂する部分と前記昇降路壁との間に、前記制御ケーブルの前記部分に沿って設けられ、放射熱を前記制御ケーブルへと照射するランプを有するランプ装置と、を備えたことを特徴とするエレベータ制御ケーブル装置。
【請求項２】
前記ランプ装置は、
前記昇降路内に設けられ、前記昇降路内が所定の基準温度より低い温度となったことを検出する温度センサと、
通常時は前記ランプへの電流を遮断し、前記温度センサにより前記昇降路内が前記基準温度より低い温度となったことが検出された場合に前記ランプへと通電するスイッチと、を備えたことを特徴とする請求項１に記載のエレベータ制御ケーブル装置。
【請求項３】
エレベータの昇降路壁と乗りかごとに連結されて昇降路内に懸垂され、その下垂部が略Ｕ字状を呈している制御ケーブルと、
前記制御ケーブル内の長手方向に亘って形成された中空孔と、
空気を暖めて暖気を生成する温熱器と、
前記温熱器により生成された暖気を前記中空孔へと温風として送り込む送風ファンと、を備えたことを特徴とするエレベータ制御ケーブル装置。
【請求項４】
前記昇降路内に設けられ、前記昇降路内が所定の基準温度より低い温度となったことを検出する温度センサを備え、
前記送風ファン及び前記温熱器は、前記温度センサにより前記昇降路内が前記基準温度より低い温度となったことが検出された場合に作動されることを特徴とする請求項３に記載のエレベータ制御ケーブル装置。
【請求項５】
エレベータの昇降路壁と乗りかごとに連結されて昇降路内に懸垂され、その下垂部が略Ｕ字状を呈している制御ケーブルと、
前記制御ケーブル内の長手方向に亘って埋設されたニクロム線と、
前記昇降路内に設けられ、前記昇降路内が所定の基準温度より低い温度となったことを検出する温度センサと、を備え、
前記ニクロム線は、前記温度センサにより前記昇降路内が前記基準温度より低い温度となったことが検出された場合に通電されることを特徴とするエレベータ制御ケーブル装置。
【発明の詳細な説明】
【技術分野】
【０００１】
この発明は、エレベータ制御ケーブル装置に関するものである。
【背景技術】
【０００２】
従来におけるエレベータ制御ケーブル装置においては、昇降路内が低温時であって制御ケーブルの下垂ループ半径が大きいときには後退位置に保持されることにより、乗りかごが外部から可視状態となる展望用エレベータ等において美観を損なう不具合を解消するとともに、昇降路内が高温であって制御ケーブルの下垂ループ半径が小さいときには動作して乗りかごの側面から制御ケーブルを遠退けて、乗りかごに制御ケーブルが接触することによる損傷発生を防ぐものとして、昇降路を昇降する乗りかごと、一端が前記昇降路の上端寄りに吊持されて他端は前記乗りかごの底面における中心寄りに吊持され、下端部に凸曲線部を形成して前記昇降路内に吊設された制御ケーブルと、前記乗りかごに装備されて作動部に設けられた保護体が前記底面寄り箇所において前記制御ケーブルに対向して配置され、常時は後退位置に保持されて要時に動作して前記保護体によって前記制御ケーブルを押し前記乗りかごの側面から遠退く方向に前記制御ケーブルを変位する作動手段と、前記昇降路内温度が所定値を超えて上昇したときに作動して前記作動手段を付勢する制御装置と、を備えたものが知られている（例えば、特許文献１参照）。
【０００３】
また、簡単な構成により制御ケーブルと乗りかごの接近、干渉を防止できるものとしては、エレベータの乗りかごと昇降路機器とを繋いでおり、昇降路内温度が上昇すると被覆ビニールが軟化して底部の下垂ループ半径が小さくなって前記乗りかごと接近するエレベータ制御ケーブル装置において、前記昇降路の壁に設けられ、昇降路内温度が上昇した時に、前記制御ケーブルを保持して、前記制御ケーブルが前記乗りかごに干渉するのを防止する制御ケーブル固定具と、を備えたものが知られている（例えば、特許文献２参照）。
【０００４】
【特許文献１】特開２００５−２３１７９４号公報
【特許文献２】特開２００７−２７６９９１号公報
【発明の開示】
【発明が解決しようとする課題】
【０００５】
しかしながら、特許文献１及び特許文献２に示されたいずれの従来のエレベータ制御ケーブル装置も、昇降路内が高温であって制御ケーブルの下垂ループ半径が小さいとき（図１０）における制御ケーブルと乗りかごとの干渉を防止することを目的とするものであって、これとは逆に昇降路内の温度が低下して制御ケーブルの下垂ループ半径が大きくなり（図１１）、制御ケーブルと昇降路壁とが干渉して制御ケーブルに損傷等が発生してしまう場合については考慮がなされておらず、これを未然に防止することができないという課題がある。
【０００６】
従来においては、昇降路内の温度が低下して制御ケーブルの被覆が硬化して下垂ループ半径が大きくなった場合に、制御ケーブルと昇降路壁とが直接的に干渉することを防ぐために、図６から図９に示すごとく、昇降路壁面に沿わせて保護金網を覆設し、昇降路のコンクリート壁や昇降路設置機器等と制御ケーブルとが直接接触することを防ぐことが知られている。
すなわち、図において１はエレベータの昇降路で、この昇降路１内には、対向して配置された一対のかごレール１８及び対向して配置された一対のおもりレール２０が立設されている。そして、乗りかご２は前記かごレール１８に、釣合いおもり１９は前記おもりレール２０に、それぞれ案内されて前記昇降路１内を昇降するように配置されている。
前記乗りかご２は、エレベータの運転全般を制御する図示しない制御盤と制御ケーブル３により電気的に接続されており、この制御ケーブル３は、前記昇降路１内の昇降路壁１ａに設けられた図示しない昇降路ケーブル吊手及びかご下枠２ｂに設けられたかごケーブル吊手４とに連結されて前記昇降路１内に懸垂されている。
前記乗りかご２の正面に設けられたかご出入口にはかご戸２ｃが開閉自在に設けられており、前記乗りかご２が乗降階の乗場に停止した際に前記かご出入口と対向する位置に設けられた乗場出入口には、乗場戸２１が開閉自在に設けられている。
【０００７】
前記制御ケーブル３の一端は前記昇降路壁１ａに設けられた前記昇降路ケーブル吊手に接続されているため、前記制御ケーブル３の一部は前記昇降路壁１ａに沿って懸垂することになる。
そして、この前記制御ケーブル３の前記昇降路壁１ａに沿って懸垂する部分と前記昇降路壁１ａとの間には、ケーブル保護金網５が設けられている。
このケーブル保護金網５は、前記かごレール１８を前記昇降路壁１ａに固定するのに用いられるレールブラケットの一側を延長して設けられた保護金網取付腕５ａに対して、金網押え板５ｂ及び金網押えネジ５ｃを用いて固定されることにより、前記制御ケーブル３の前記昇降路壁１ａに沿って懸垂する部分と前記昇降路壁１ａとの間に配置され、前記制御ケーブル３が前記昇降路壁１ａに直接接触することを防いでいる。
しかしながら、保護金網とはいえ、制御ケーブルと何度も繰り返し接触すると、制御ケーブルに損傷が発生してしまう場合も多々あり、昇降路内が低温時において制御ケーブルの昇降路壁等との接触により発生する損傷を完全に防止するには至っていないという課題がある。
【０００８】
この発明は、前述のような課題を解決するためになされたもので、昇降路内の温度が低下して制御ケーブルの被覆が硬化して下垂ループ半径が大きくなり、制御ケーブルと昇降路壁又は保護金網とが干渉して制御ケーブルに損傷が発生してしまうことを未然に防止することができるエレベータ制御ケーブル装置を得るものである。
【課題を解決するための手段】
【０００９】
この発明に係るエレベータ制御ケーブル装置においては、エレベータの昇降路壁と乗りかごとに連結されて昇降路内に懸垂され、その下垂部が略Ｕ字状を呈している制御ケーブルと、前記制御ケーブルの前記昇降路壁に沿って懸垂する部分と前記昇降路壁との間に、前記制御ケーブルの前記部分に沿って設けられ、放射熱を前記制御ケーブルへと照射するランプを有するランプ装置と、を備えた構成とする。
【００１０】
また、エレベータの昇降路壁と乗りかごとに連結されて昇降路内に懸垂され、その下垂部が略Ｕ字状を呈している制御ケーブルと、前記制御ケーブル内の長手方向に亘って形成された中空孔と、空気を暖めて暖気を生成する温熱器と、前記温熱器により生成された暖気を前記中空孔へと温風として送り込む送風ファンと、を備えた構成とする。
【発明の効果】
【００１１】
この発明はエレベータ制御ケーブル装置において、エレベータの昇降路壁と乗りかごとに連結されて昇降路内に懸垂され、その下垂部が略Ｕ字状を呈している制御ケーブルと、前記制御ケーブルの前記昇降路壁に沿って懸垂する部分と前記昇降路壁との間に、前記制御ケーブルの前記部分に沿って設けられ、放射熱を前記制御ケーブルへと照射するランプを有するランプ装置と、を備えた構成としたことで、昇降路内の温度が低下して制御ケーブルの被覆が硬化して下垂ループ半径が大きくなり、制御ケーブルと昇降路壁とが干渉して制御ケーブルに損傷が発生してしまうことを未然に防止することができるという効果を奏する。
【００１２】
また、エレベータ制御ケーブル装置において、エレベータの昇降路壁と乗りかごとに連結されて昇降路内に懸垂され、その下垂部が略Ｕ字状を呈している制御ケーブルと、前記制御ケーブル内の長手方向に亘って形成された中空孔と、空気を暖めて暖気を生成する温熱器と、前記温熱器により生成された暖気を前記中空孔へと温風として送り込む送風ファンと、を備えた構成としたことでも、同様の効果を奏することができる。
【発明を実施するための最良の形態】
【００１３】
この発明を添付の図面に従い説明する。各図を通じて同符号は同一部分又は相当部分を示しており、その重複説明は適宜に簡略化又は省略する。
【００１４】
実施の形態１．
図１及び図２は、この発明の実施の形態１に関するもので、図１はエレベータの昇降路の断面図、図２は図１中のＡ部の拡大図である。
図において１はエレベータが設置される建物内に立設された昇降路である。この昇降路１内には乗りかご２が昇降自在に配置されており、この乗りかご２の床部を形成するかご床２ａは、前記乗りかご２の下方に設けられたかご下枠２ｂにより支持されている。
前記乗りかご２は、エレベータの運転全般を制御する図示しない制御盤と制御ケーブル３により電気的に接続されており、この制御ケーブル３は、前記昇降路１内の昇降路壁１ａに設けられた図示しない昇降路ケーブル吊手及び前記かご下枠２ｂに設けられたかごケーブル吊手４とに連結されて前記昇降路１内に懸垂されている。
【００１５】
前記制御ケーブル３の下垂部は略Ｕ字状を呈し、この略Ｕ字状部の曲率半径（下垂ループ半径）は、前記昇降路１内の温度により変化する。
つまり、前記昇降路１内が高温である場合は、前記制御ケーブル３のビニール被覆は軟化するため、前記下垂ループ半径は小さくなる（図１０参照）。一方、前記昇降路１内が低温である場合は、前記制御ケーブル３の前記ビニール被覆は硬化するため、前記下垂ループ半径は大きくなる（図１１参照）。
【００１６】
前記制御ケーブル３の一端は前記昇降路壁１ａに設けられた前記昇降路ケーブル吊手に接続されているため、前記制御ケーブル３の一部は前記昇降路壁１ａに沿って懸垂することになる。
そして、この前記制御ケーブル３の前記昇降路壁１ａに沿って懸垂する部分と前記昇降路壁１ａとの間には、ケーブル保護金網５が設けられている。
このケーブル保護金網５は、例えば前述の図６から図９に示すごとく、かごレール１８を前記昇降路壁１ａに固定するのに用いられるレールブラケットの一側を延長して設けられた保護金網取付腕５ａに対して、金網押え板５ｂ及び金網押えネジ５ｃを用いて固定されることにより、前記制御ケーブル３の前記昇降路壁１ａに沿って懸垂する部分と前記昇降路壁１ａとの間に配置されている。
【００１７】
前記制御ケーブル３の前記昇降路壁１ａに沿って懸垂する部分と前記昇降路壁１ａとの間であって、かつ、前記ケーブル保護金網５と前記昇降路壁１ａとの間となる位置には、前記制御ケーブル３の前記昇降路壁１ａに沿って懸垂する部分に沿って、前記昇降路１内が低温時に前記制御ケーブル３を温めるためのランプ装置６が複数設けられている。
前記ランプ装置６のランプ６ａ（ハロゲンランプが望ましい）は、ランプソケット６ｂに取り付けられ、前記ランプ６ａの背面側すなわち前記昇降路壁１ａ側には、前記ランプ６ａから射出される光及び放射熱を効率的に前記制御ケーブル３へと照射するための反射板６ｃが設けられている。
【００１８】
前記ランプ６ａを点灯させるための電力は、一端が前記ランプソケット６ｂに、他端が図示しない電源に接続された電気配線７を通じて供給される。この電気配線７にはスイッチ８が設けられており、このスイッチ８は、通常時においては開放して電流を遮断するとともに、近接して設けられた温度センサ９により前記昇降路１内が所定の基準温度より低い温度となったことが検出された場合に、閉成して通電する。
ここで、前記温度センサ９と前記スイッチ８とは直接連動するようにしてもよいし、前記温度センサ９の検出結果を一旦前記制御盤へと送信し、前記制御盤の制御により前記スイッチ８の開放及び閉成動作を行うようにしてもよい。
【００１９】
このように構成されたエレベータ制御ケーブル装置において、通常時、すなわち、前記温度センサ９により前記昇降路１内が前記基準温度より低い温度ではないことが検出されている場合には、前記スイッチ８は開放しており、前記ランプ６ａは消灯している。
一方、前記温度センサ９により前記昇降路１内が前記基準温度より低い温度となったことが検出された場合には、前記スイッチ８は閉成して前記ランプ６ａが点灯する。
そして、この点灯した前記ランプ６ａから照射される放射熱により、低温により硬化していた前記制御ケーブル３の前記ビニール被覆が温められて軟化し、大きかった前記下垂ループ半径が小さくなる。
【００２０】
以上のように構成されたエレベータ制御ケーブル装置においては、昇降路壁と乗りかごとに連結されて昇降路内に懸垂され、その下垂部が略Ｕ字状を呈している制御ケーブルを備えたエレベータにおいて、制御ケーブルの昇降路壁に沿って懸垂する部分と昇降路壁との間に、制御ケーブルの前記部分に沿って設けられ、放射熱を制御ケーブルへと照射するランプを有するランプ装置を備えたことにより、昇降路内の温度が低下して制御ケーブルの被覆が硬化して下垂ループ半径が大きくなり、制御ケーブルと昇降路壁又は保護金網とが干渉して制御ケーブルに損傷が発生してしまうことを未然に防止することができる。
そして、このため、制御ケーブルの長寿命化を図ることが可能である。
【００２１】
また、このランプ装置に、昇降路内に設けられ、昇降路内が所定の基準温度より低い温度となったことを検出する温度センサと、通常時はランプへの電流を遮断し、温度センサにより昇降路内が基準温度より低い温度となったことが検出された場合にランプへと通電するスイッチと、を設けたことにより、昇降路内が基準温度より低い温度となり、ランプの照射により制御ケーブルのビニール被覆を温めることが必要なときのみ、的確にランプ照射を行うことができる。
【００２２】
なお、ランプへの通電に関して、昇降路内に設けた温度センサの検出結果に基づいてすべてのランプの通電を制御するようにしてもよいし、各ランプ装置ごとに独立して動作する温度センサ及びスイッチを設けて、各ランプ装置の設置場所近傍の温度に応じて各ランプ装置のそれぞれが別個独立に動作するようにしてもよい。
【００２３】
実施の形態２．
図３及び図４は、この発明の実施の形態２に関するもので、図３は制御ケーブルの断面図、図４はエレベータ制御ケーブル装置の要部を説明する図である。
前述した実施の形態１は、昇降路内が低温時に制御ケーブルにランプ光を照射することにより、その放射熱で硬化した制御ケーブルのビニール被覆を温めて軟化させ、下垂ループ半径を小さくするものであったが、ここで説明する実施の形態２は、制御ケーブル内に長手方向に沿って中空孔を形成し、昇降路内が低温時にこの中空孔に温風を流すことで、硬化した制御ケーブルのビニール被覆を温めて軟化させ、下垂ループ半径を小さくするものである。
すなわち、前記制御ケーブル３は、図３に示すごとく平板状のケーブルであり、前記ビニール被覆内に前記制御盤と前記乗りかご２内の機器間で制御信号のやり取りや電源の供給を行うための制御用配線１０が埋め込まれている。
そして、平板状の前記制御ケーブル３内の左右両側端寄りの位置には、前記制御ケーブル３の長手方向に亘って中空孔１１が形成されている。
前記制御ケーブル３の前記昇降路ケーブル吊手側には、制御ケーブル押え板１２が設けられており、この制御ケーブル押え板１２の下方近傍において、空気送風パイプ１３が前記制御ケーブル３の前記中空孔１１に接続されている。
この空気送風パイプ１３の反前記中空孔１１接続側には送風ファン１４が接続されており、この送風ファン１４は、温熱器１６により暖められた暖気を接続パイプ１５を介して給気して、前記空気送風パイプ１３を通して前記中空孔１１へと温風を送り込む。
前記昇降路１内には温度センサ９が設けられており、この温度センサ９により前記昇降路１内が所定の基準温度より低い温度となったことが検出されると、前記制御盤がこの検出結果に基づいて前記送風ファン１４及び前記温熱器１６を作動させて、前記中空孔１１に温風が送り込まれる。
なお、前記ランプ装置６に代えて以上の点を備えたことを除いて、他の構成は実施の形態１と同様である。
【００２４】
このようにして構成されたエレベータ制御ケーブル装置において、通常時、すなわち、前記温度センサ９により前記昇降路１内が前記基準温度より低い温度ではないことが検出されている場合には、前記送風ファン１４及び前記温熱器１６は作動していない。
一方、前記温度センサ９により前記昇降路１内が前記基準温度より低い温度となったことが検出された場合には、前記制御盤は、前記送風ファン１４及び前記温熱器１６を作動させる。
そして、前記温熱器１６により暖められた暖気が前記送風ファン１４により温風として前記中空孔１１内に送り込まれ、この温風の熱で、低温により硬化していた前記制御ケーブル３の前記ビニール被覆が温められて軟化し、大きかった前記下垂ループ半径が小さくなる。
【００２５】
以上のように構成されたエレベータ制御ケーブル装置においては、エレベータの昇降路壁と乗りかごとに連結されて昇降路内に懸垂され、その下垂部が略Ｕ字状を呈している制御ケーブル内の長手方向に亘って中空孔を形成し、空気を暖めて暖気を生成する温熱器により生成された暖気を、送風ファンによりこの中空孔へと温風として送り込むことにより、実施の形態１と同様の効果を奏することができる。
【００２６】
また、昇降路内に設けられ、昇降路内が所定の基準温度より低い温度となったことを検出する温度センサを備え、送風ファン及び温熱器は、温度センサにより昇降路内が基準温度より低い温度となったことが検出された場合に作動されるようにすることで、昇降路内が基準温度より低い温度となり、制御ケーブルのビニール被覆を温めることが必要なときのみ、的確に温風を制御ケーブルの中空孔に送ることができる。
【００２７】
実施の形態３．
図５は、この発明の実施の形態３に関するもので、制御ケーブルの断面図である。
前述した実施の形態２は、制御ケーブル内に長手方向に沿って中空孔を形成し、昇降路内が低温時にこの中空孔に温風を流すことで、硬化した制御ケーブルのビニール被覆を温めて軟化させ、下垂ループ半径を小さくするものであるが、ここで説明する実施の形態２は、制御ケーブル内に中空孔に代えてニクロム線を設けて、昇降路内が低温時にこのニクロム線に電流を流すことで発生するジュール熱により、硬化した制御ケーブルのビニール被覆を温めて軟化させ、下垂ループ半径を小さくするものである。
すなわち、平板状の前記制御ケーブル３の前記ビニール被覆内には、前記制御ケーブル３の長手方向に亘ってニクロム線１７が埋設されており、このニクロム線１７は、前記ビニール被覆をむらなく温めることができるように、必要に応じて平板の幅方向に亘って所定の間隔で複数本が平行して埋設されている。
なお、他の構成については、前述した実施の形態２と概ね同様であり、すなわち、前記昇降路１内には温度センサが設けられており、この温度センサにより前記昇降路１内が所定の基準温度より低い温度となったことが検出されると、前記制御盤がこの検出結果に基づいて前記ニクロム線１７のスイッチが投入されて前記ニクロム線１７に電流が流れるように構成される。
【００２８】
このようにして構成されたエレベータ制御ケーブル装置において、通常時、すなわち、前記温度センサにより前記昇降路１内が前記基準温度より低い温度ではないことが検出されている場合には、前記ニクロム線１７の前記スイッチは切断されており、前記ニクロム線１７は通電していない。
一方、前記温度センサにより前記昇降路１内が前記基準温度より低い温度となったことが検出された場合には、前記制御盤は、前記ニクロム線１７の前記スイッチを投入し、前記ニクロム線１７に電流が流される。
そして、前記ニクロム線１７に発生したジュール熱により、低温により硬化していた前記制御ケーブル３の前記ビニール被覆が温められて軟化し、大きかった前記下垂ループ半径が小さくなる。
【００２９】
以上のように構成されたエレベータ制御ケーブル装置においては、エレベータの昇降路壁と乗りかごとに連結されて昇降路内に懸垂され、その下垂部が略Ｕ字状を呈している制御ケーブル内の長手方向に亘って埋設されたニクロム線と、昇降路内に設けられ、昇降路内が所定の基準温度より低い温度となったことを検出する温度センサと、を備え、ニクロム線は、温度センサにより昇降路内が基準温度より低い温度となったことが検出された場合に通電されるようにすることで、実施の形態１又は実施の形態２と同様の効果を奏することができる。
【図面の簡単な説明】
【００３０】
【図１】この発明の実施の形態１におけるエレベータの昇降路の断面図である。
【図２】この発明の実施の形態１における図１中のＡ部の拡大図である。
【図３】この発明の実施の形態２における制御ケーブルの断面図である。
【図４】この発明の実施の形態２におけるエレベータ制御ケーブル装置の要部を説明する図である。
【図５】この発明の実施の形態３における制御ケーブルの断面図である。
【図６】従来におけるエレベータの昇降路の平面図である。
【図７】従来における図６中のＢ部の拡大図である。
【図８】従来における図６中のＢ部の拡大正面図である。
【図９】従来におけるエレベータの昇降路及び乗りかごの斜視図である。
【図１０】従来における昇降路温度が高い場合の制御ケーブルの下垂ループ半径を示す説明図である。
【図１１】従来における昇降路温度が低い場合の制御ケーブルの下垂ループ半径を示す説明図である。
【符号の説明】
【００３１】
１    昇降路
１ａ  昇降路壁
２    乗りかご
２ａ  かご床
２ｂ  かご下枠
２ｃ  かご戸
３    制御ケーブル
４    かごケーブル吊手
５    ケーブル保護金網
５ａ  保護金網取付腕
５ｂ  金網押え板
５ｃ  金網押えネジ
６    ランプ装置
６ａ  ランプ
６ｂ  ランプソケット
６ｃ  反射板
７    電気配線
８    スイッチ
９    温度センサ
１０    制御用配線
１１    中空孔
１２    制御ケーブル押え板
１３    空気送風パイプ
１４    送風ファン
１５    接続パイプ
１６    温熱器
１７    ニクロム線
１８    かごレール
１９    釣合いおもり
２０    おもりレール
２１    乗場戸
【図１】
2010095350.tif 000003
【図２】
2010095350.tif 000004
【図３】
2010095350.tif 000005
【図４】
2010095350.tif 000006
【図５】
2010095350.tif 000007
【図６】
2010095350.tif 000008
【図７】
2010095350.tif 000009
【図８】
2010095350.tif 000010
【図９】
2010095350.tif 000011
【図１０】
2010095350.tif 000012
【図１１】
2010095350.tif 000013